(57)【要約】      （修正有）【課題】ＦＤＤ及びＴＤＤのキャリアアグリゲーションをサポートするアドバンスト無線通信ネットワークにおける再送制御シグナリング方法を提供する。【解決手段】アアドバンスト無線通信システム１００において、対を成すＤＬ及びＵＬキャリア周波数上でＦＤＤ信号を送受信可能なマクロ基地局を表す複数のＦＤＤマクロアクセスノード１０１と、対を成すＤＬ及びＵＬキャリア周波数上でＦＤＤ信号を送受信可能なピコ基地局を表す複数のＦＤＤスモールセルアクセスノード１０２と、を含む。さらに、単一の対を成さないキャリア周波数上でＤＬ及びＵＬ ＴＤＤ信号を送受信可能なピコ基地局を表す複数のＴＤＤスモールセルアクセスノード１０３と、ＦＤＤ信号送受信、ＴＤＤ信号送受信及びＦＤＤ−ＴＤＤキャリアアグリゲーション形式のＦＤＤ−ＴＤＤ信号送受信を行うことが可能な複数のアドバンストＵＥ１０４、１０５及び１０６と、を含む。【選択図】図１
2020039159.tif 000002
【特許請求の範囲】
【請求項１】
Ｐｒｉｍａｒｙ  ＣｅｌｌではＦＤＤ（ｆｒｅｑｕｅｎｃｙ ｄｉｖｉｓｉｏｎ ｄｕｐｌｅｘ）が使用され、Ｓｅｃｏｎｄａｒｙ  ＣｅｌｌではＴＤＤ（ｔｉｍｅ ｄｉｖｉｓｉｏｎ ｄｕｐｌｅｘ）が使用される通信システムにおいてＵＥにより実施される方法であって、
第１のタイミングにおいて前記Ｐｒｉｍａｒｙ  Ｃｅｌｌでのサブフレームで第一のダウンリンクデータを受信し、
前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームがアップリンクサブフレームであれば、第２のタイミングでＰＵＣＣＨ  ｆｏｒｍａｔ  １ｂまたはＰＵＣＣＨ  ｆｏｒｍａｔ  １ａでＨＡＲＱ−ＡＣＫを送信し、
前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームで第二のダウンリンクデータを受信すれば、前記第２のタイミングでＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを送信し、
前記Ｓｅｃｏｎｄａｒｙ  Ｃｅｌｌが２つであれば、前記第２のタイミングでＰＵＣＣＨ  ｆｏｒｍａｔ  ３または前記ＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを送信する、
方法。
【請求項２】
前記Ｐｒｉｍａｒｙ  Ｃｅｌｌには、１つまたは２つのＴｒａｎｓｐｏｒｔ  Ｂｌｏｃｋが設定される、
請求項１に記載の方法。
【請求項３】
前記Ｓｅｃｏｎｄａｒｙ  Ｃｅｌｌでは、ＵＬ−ＤＬ  Ｃｏｎｆｉｇｕｒａｔｉｏｎが動的に変わる、
請求項１または２に記載の方法。
【請求項４】
Ｐｒｉｍａｒｙ  ＣｅｌｌではＦＤＤ（Ｆｒｅｑｕｅｎｃｙ  ｄｉｖｉｓｉｏｎ  ｄｕｐｌｅｘ）が使用され、Ｓｅｃｏｎｄａｒｙ  ＣｅｌｌではＴＤＤ（Ｔｉｍｅ  ｄｉｖｉｓｉｏｎ  ｄｕｐｌｅｘ）が使用される通信システムにおいて用いるＵＥであって、
第１のタイミングにおいて前記Ｐｒｉｍａｒｙ  Ｃｅｌｌでのサブフレームで第一のダウンリンクデータを受信するＲＦモジュールを有し、
前記ＲＦモジュールは、前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームがアップリンクサブフレームであれば、第２のタイミングでＰＵＣＣＨ  ｆｏｒｍａｔ  １ｂまたはＰＵＣＣＨ  ｆｏｒｍａｔ  １ａでＨＡＲＱ−ＡＣＫを送信し、
前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームで第二のダウンリンクデータを受信すれば、前記第２のタイミングでＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを送信し、
前記Ｓｅｃｏｎｄａｒｙ  Ｃｅｌｌが２つであれば、前記第２のタイミングでＰＵＣＣＨ  ｆｏｒｍａｔ  ３または前記ＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを送信する、
ＵＥ。
【請求項５】
前記Ｐｒｉｍａｒｙ  Ｃｅｌｌには、１つまたは２つのＴｒａｎｓｐｏｒｔ  Ｂｌｏｃｋが設定される、
請求項４に記載のＵＥ。
【請求項６】
前記Ｓｅｃｏｎｄａｒｙ  Ｃｅｌｌでは、ＵＬ−ＤＬ  Ｃｏｎｆｉｇｕｒａｔｉｏｎが動的に変わる、
請求項４または５に記載のＵＥ。
【請求項７】
Ｐｒｉｍａｒｙ  ＣｅｌｌではＦＤＤ（Ｆｒｅｑｕｅｎｃｙ  ｄｉｖｉｓｉｏｎ  ｄｕｐｌｅｘ）が使用され、Ｓｅｃｏｎｄａｒｙ  ＣｅｌｌではＴＤＤ（Ｔｉｍｅ  ｄｉｖｉｓｉｏｎ  ｄｕｐｌｅｘ）が使用される通信システムにおいて基地局により実施される方法であって、
第１のタイミングにおいて前記Ｐｒｉｍａｒｙ  Ｃｅｌｌでのサブフレームで第一のダウンリンクデータを送信し、
前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームがアップリンクサブフレームであれば、第２のタイミングでＰＵＣＣＨ  ｆｏｒｍａｔ  １ｂまたはＰＵＣＣＨ  ｆｏｒｍａｔ  １ａでＨＡＲＱ−ＡＣＫを受信し、
前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームで第二のダウンリンクデータを送信し、端末が前記第二のダウンリンクデータを受信した場合、前記第２のタイミングでＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを受信し、
前記Ｓｅｃｏｎｄａｒｙ  Ｃｅｌｌが２つであれば、前記第２のタイミングでＰＵＣＣＨ  ｆｏｒｍａｔ  ３または前記ＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを受信する、
方法。
【請求項８】
前記Ｐｒｉｍａｒｙ  Ｃｅｌｌには、１つまたは２つのＴｒａｎｓｐｏｒｔ  Ｂｌｏｃｋが設定される、
請求項７に記載の方法。
【請求項９】
前記Ｓｅｃｏｎｄａｒｙ  Ｃｅｌｌでは、ＵＬ−ＤＬ  Ｃｏｎｆｉｇｕｒａｔｉｏｎが動的に変わる、
請求項７または８に記載の方法。
【請求項１０】
Ｐｒｉｍａｒｙ  ＣｅｌｌではＦＤＤ（Ｆｒｅｑｕｅｎｃｙ  ｄｉｖｉｓｉｏｎ  ｄｕｐｌｅｘ）が使用され、Ｓｅｃｏｎｄａｒｙ  ＣｅｌｌではＴＤＤ（Ｔｉｍｅ  ｄｉｖｉｓｉｏｎ  ｄｕｐｌｅｘ）が使用される通信システムにおいて用いられる基地局であって、
第１のタイミングにおいて前記Ｐｒｉｍａｒｙ  Ｃｅｌｌでのサブフレームで第一のダウンリンクデータを送信するＲＦモジュールを有し、
前記ＲＦモジュールは、前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームがアップリンクサブフレームであれば、第２のタイミングでＰＵＣＣＨ  ｆｏｒｍａｔ  １ｂまたはＰＵＣＣＨ  ｆｏｒｍａｔ  １ａでＨＡＲＱ−ＡＣＫを受信し、
前記Ｓｅｃｏｎｄａｒｙ  Ｃｅｌｌが１つであり、かつ、前記第１のタイミングにおける前記Ｓｅｃｏｎｄａｒｙ  Ｃｅｌｌでのサブフレームで第二のダウンリンクデータを送信し、端末が前記第二のダウンリンクデータを受信した場合、前記第２のタイミングでＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを受信し、
前記Ｓｅｃｏｎｄａｒｙ  Ｃｅｌｌが２つであれば、前記第２のタイミングでＰＵＣＣＨ  ｆｏｒｍａｔ  ３または前記ＰＵＣＣＨ  ｆｏｒｍａｔ  １ｂ  ｗｉｔｈ  ｃｈａｎｎｅｌ  ｓｅｌｅｃｔｉｏｎでＨＡＲＱ−ＡＣＫを受信する、
基地局。
【請求項１１】
前記Ｐｒｉｍａｒｙ  Ｃｅｌｌには、１つまたは２つのＴｒａｎｓｐｏｒｔ  Ｂｌｏｃｋが設定される、
請求項１０に記載の基地局。
【請求項１２】
前記Ｓｅｃｏｎｄａｒｙ  Ｃｅｌｌでは、ＵＬ−ＤＬ  Ｃｏｎｆｉｇｕｒａｔｉｏｎが動的に変わる、
請求項１０または１１に記載の基地局。
【発明の詳細な説明】
【技術分野】
【０００１】
本発明は、アドバンスト(ａｄｖａｎｃｅｄ)無線通信ネットワークにおける制御シグナリングに関する。
【０００２】
＜略語＞
本明細書では、以下の略語を用いる。
2020039159.tif 000003
【背景技術】
【０００３】
３ＧＰＰ Ｅ−ＵＴＲＡ(Ｅｖｏｌｖｅｄ ＵＭＴＳ Ｔｅｒｒｅｓｔｒｉａｌ Ｒａｄｉｏ Ａｃｃｅｓｓ)は、ＦＤＤ(ｆｕｌｌ ｄｕｐｌｅｘ)デュプレックスモード及びＴＤＤ(ｈａｌｆ ｄｕｐｌｅｘ)デュプレックスモードの両者をサポートする。しかしながら、異なるデュプレックスモードを用いて同時接続される端末の動作は、規定されていない。ＦＤＤスペクトル及びＴＤＤスペクトルの両者を用いるネットワークオペレータにとっては、ＦＤＤスペクトルリソース及びＴＤＤスペクトルリソース両者の同時使用を可能とし、以て両スペクトルリソースを上手く(好ましくは完全に)活用可能とするメカニズムが望ましい。そのようなものとして、効率的なＴＤＤ及びＦＤＤのスペクトル使用、並びに異なるテクノロジーの連携活用が、スループットの増加及びキャパシティ不足に適応すべく、将来的なＬＴＥ展開にとってより重要となると予測される。
【０００４】
ＣＡ(ｃａｒｒｉｅｒ ａｇｇｒｅｇａｔｉｏｎ：キャリアアグリゲーション)の利用は、３ＧＰＰ Ｒｅｌｅａｓｅ１０ ＬＴＥ開発及び３ＧＰＰ Ｒｅｌ．１１ ＬＴＥ ＣＡ改善ワークの間に見出された通り、複数のキャリアコンポーネント(ｃａｒｒｉｅｒ ｃｏｍｐｏｎｅｎｔｓ)を一体化することによってピークデータレート及びスループットを増加させる手段を提供する。将来的なＬＴＥ展開のシナリオは、ＴＤＤ又はＦＤＤの一方をＰＣｅｌｌとして利用可能とし、以て包括的なＬＴＥ ＦＤＤ−ＴＤＤ ＣＡのサポートが望まれるものと予測される。
【発明の概要】
【発明が解決しようとする課題】
【０００５】
しかしながら、包括的なＬＴＥ ＦＤＤ−ＴＤＤ ＣＡをサポートするには幾つかの課題が存在する。例えば、従来の３ＧＰＰ ＬＴＥ Ｒｅｌ．１０〜１１ ＣＡシステムにおいて、ＰＣｅｌｌは、常に最良のチャネル品質を有するサービングセル(ｓｅｒｖｉｎｇ ｃｅｌｌ)である。そのようなものとして、ＳＣｅｌｌが２つのＴＢを活用し且つＰＣｅｌｌが１つのＴＢのみを活用可能にするような設定(ｃｏｎｆｉｇｕｒａｔｉｏｎ)は何ら存在しない。さらに、ＦＤＤ−ＴＤＤ ＣＡ動作のための効率的なＨＡＲＱ(Ｈｙｂｒｉｄ Ａｕｔｏｍａｔｉｃ Ｒｅｐｅａｔ ｒｅＱｕｅｓｔ)タイミングも何ら存在しない。
【０００６】
従来の或るシステムは、ＦＤＤがＰＣｅｌｌとして設定され且つＴＤＤがＳＣｅｌｌとして設定される場合に、ＴＤＤ ＳＣｅｌｌのＰＤＳＣＨ ＨＡＲＱタイミングがＦＤＤ ＰＣｅｌｌのＰＤＳＣＨ ＨＡＲＱタイミングに従うべきと規定している。しかしながら、ＴＤＤ ＳｃｅｌｌのＤＬ(Ｄｏｗｎｌｉｎｋ) ＨＡＲＱタイミングがＦＤＤ ＰＣｅｌｌのＤＬ ＨＡＲＱタイミングに従う場合、異なるサービングセルからＨＡＲＱ−ＡＣＫ(ＨＡＲＱ−Ａｃｋｎｏｗｌｅｄｇｅｍｅｎｔ)メッセージを効率的且つ確実に提供する方法が不明確である。このような場合におけるＨＡＲＱ−ＡＣＫに関する問題は、ＵＥ及びｅＮＢが、ＰＤＳＣＨ／ＰＤＣＣＨ／ＥＰＤＣＣＨ送信と関連ＨＡＲＱ−ＡＣＫとの間のマッピングについて共通の理解を有していない虞があることである。この問題は、異なるＵＬ−ＤＬ設定を有する複数のＳＣｅｌｌが存在し、再設定(ｒｅｃｏｎｆｉｇｕｒａｔｉｏｎ)が生じる場合に増大される。
【０００７】
さらに、ＳＣｅｌｌがｅＩＭＴＡで設定される場合、再設定期間は１０ｍｓと短時間であり得る。このような場合、採用されるＴＤＤ設定の観点からｅＮＢとＵＥとの間に曖昧性が頻発し得る。特に、ＵＥがｅＩＭＴＡ再設定シグナリングの検出に失敗した場合、ＵＥ及びｅＮＢがＰＤＳＣＨ ＨＡＲＱ−ＡＣＫの観点で異なる理解を有し得る複数の無線フレームが存在する可能性があり、このことは順次に、幾つかのＰＤＳＣＨ／ＰＤＣＣＨ／ＥＰＤＣＣＨデータの不必要な再送、又はＵＥにより要求される或るＰＤＳＣＨ／ＰＤＣＣＨ／ＥＰＤＣＣＨデータのスケジューリング再送の欠落を引き起こす虞がある。
【０００８】
明らかに当然のことながら、本明細書で従来技術の刊行物を参照する場合、この参照は、当該刊行物がオーストラリア国又は他の国における周知常識の一部を形成することの認定を構成するものでは無い。
【課題を解決するための手段】
【０００９】
本発明は、アドバンスト無線通信ネットワークにおける制御シグナリングを対象とし、上述したデメリットの少なくとも一つを少なくとも部分的に解消するか、或いは消費者へ有益又は営利な選択を提供し得る。
【００１０】
前述の事項を考慮し、本発明は、一の態様において、第１のデュプレックスモード、前記第１のデュプレックモードとは異なる第２のデュプレックスモード、並びに前記第１及び第２のデュプレックモードのキャリアアグリゲーションをサポートするアドバンスト無線通信ネットワークに用いるシグナリング方法、に広範に属する。この方法は、ＵＥ(ｕｓｅｒ ｅｑｕｉｐｍｅｎｔ)を、ＰＣｅｌｌ(ｐｒｉｍａｒｙ ｃｏｍｐｏｎｅｎｔ ｃａｒｒｉｅｒ)としての第１のアクセスノードを介した前記アドバンスト無線通信ネットワークとのデータ通信のために、前記第１のデュプレックスモード且つ１以上のＴＢ(ｔｒａｎｓｐｏｒｔ ｂｌｏｃｋｓ)を含む第１のＴＭ(ｔｒａｎｓｍｉｓｓｉｏｎ ｍｏｄｅ)で設定し、前記ＵＥを、ＳＣｅｌｌ(ｓｅｃｏｎｄａｒｙ ｃｏｍｐｏｎｅｎｔ ｃａｒｒｉｅｒ)としての第２のアクセスノードを介した前記アドバンスト無線通信ネットワークとのデータ通信のために、前記第２のデュプレックスモード且つ１以上のＴＢを含む第２のＴＭで設定する、ことを含む。前記第２のアクセスノードに関連した前記第２のＴＭは、前記第１のアクセスノードに関連した前記第１のＴＭとは独立して、設定される。
【００１１】
或る実施形態によれば、前記第１のデュプレックスモードは、ＦＤＤ(ｆｒｅｑｕｅｎｃｙ ｄｉｖｉｓｉｏｎ ｄｕｐｌｅｘ)であっても良く、前記第２のデュプレックスモードは、ＴＤＤ(ｔｉｍｅ ｄｉｖｉｓｉｏｎ ｄｕｐｌｅｘ)であっても良い。幾つかの実施形態において、前記第１のアクセスノードは、第１のキャリア周波数で動作し、前記第２のアクセスノードは、第２のキャリア周波数で動作する。
【００１２】
幾つかの実施形態によれば、前記ＵＥは、前記第２のアクセスノードを介した前記アドバンスト無線通信ネットワークとのデータ通信のために、前記第１のＴＭよりも大きな数のＴＢを有する前記第２のＴＭで設定される。特に、或る実施形態によれば、前記ＵＥは、１つのＴＢを用いる前記第１のアクセスノードを介した前記アドバンスト無線通信ネットワークとのデータ通信のために、且つ２つのＴＢを用いる前記第２のアクセスノードを介した前記アドバンスト無線通信ネットワークとのデータ通信のために設定される。
【００１３】
或る実施形態によれば、前記方法は、複数の確認メッセージ識別子(ａｃｋｎｏｗｌｅｄｇｅｍｅｎｔ ｍｅｓｓａｇｅ ｉｄｅｎｔｉｆｉｅｒ)を含む確認メッセージ(ａｃｋｎｏｗｌｅｄｇｅｍｅｎｔ ｍｅｓｓａｇｅ)を生成する、ことをさらに含み、前記第１のアクセスノードの前記第１のＴＭの１以上のＴＢ各々、及び前記第２のアクセスノードの前記第２のＴＭの１以上のＴＢ各々は、前記確認メッセージ識別子の一つに関連付けられる。例えば、前記確認メッセージ識別子は、前記確認メッセージのビットであっても良い。前記確認メッセージのビットは、ＰＣｅｌｌ ＴＢ用ビットの第１のサブセット(ｓｕｂｓｅｔ)、及びＳＣｅｌｌ ＴＢ用ビットの第２のサブセットを含み得る。
【００１４】
或る実施形態によれば、前記確認メッセージ識別子は、ＨＡＲＱ(Ｈｙｂｒｉｄ Ａｕｔｏｍａｔｉｃ Ｒｅｐｅａｔ ｒｅＱｕｅｓｔ)−ＡＣＫ(ａｃｋｎｏｗｌｅｄｇｅｍｅｎｔ)メッセージのビットであっても良い。前記ＨＡＲＱ−ＡＣＫメッセージのビット(ｊ＝０〜３)は、以下の表に従って割り当てられ得る。
2020039159.tif 000004
【００１５】
或る実施形態によれば、前記第１のアクセスノードは、マクロカバレッジエリア(ｍａｃｒｏ ｃｏｖｅｒａｇｅ ａｒｅａ)を有するマクロ基地局であり、前記第２のアクセスノードは、前記マクロカバレッジエリア内で小規模(ｓｍａｌｌ)カバレッジエリアを有する小規模基地局であり、前記ＵＥは、前記第１及び第２のアクセスノードを介したデータ通信のために設定される場合、前記小規模カバレッジエリアに位置する。特に、前記第１のアクセスノードは、マクロカバレッジ、システム情報(ｓｙｓｔｅｍ ｉｎｆｏｒｍａｔｉｏｎ)のブロードキャスト、モビリティ管理(ｍｏｂｉｌｉｔｙ ｍａｎａｇｅｍｅｎｔ)の処理、及び制御プレーン(ｃｏｎｔｒｏｌ ｐｌａｎｅ)の接続性を提供し得て、前記第２のアクセスノートは、小規模セルカバレッジ、並びにユーザデータ送受信のためのユーザプレーン(ｕｓｅｒ ｐｌａｎｅ)の接続性を提供し得る。
【００１６】
或る実施形態によれば、前記第２のアクセスノードは、自ノードのカバレッジエリアにおける他のＵＥの有無に応じて、前記ＵＥに対しリソースをフレキシブルに割り当てる。
【００１７】
他の態様において、発明は、第１のデュプレックスモード、前記第１のデュプレックモードとは異なる第２のデュプレックスモード、並びに前記第１及び第２のデュプレックモードのキャリアアグリゲーションをサポートするアドバンスト無線通信ネットワークに用いるシグナリング方法に、に広範に属する。この方法は、ＵＥを、ＰＣｅｌｌとしての第１のアクセスノードを介した前記ネットワークとのデータ通信のために、前記第１のデュプレックスモード且つ１以上のＴＢを含む第１のＴＭで設定し、前記ＵＥを、ＳＣｅｌｌとしての第２のアクセスノードを介した前記ネットワークとのデータ通信のために、前記第２のデュプレックスモード且つ１以上のＴＢを含む第２のＴＭで設定し、前記１以上のＴＢに対する確認メッセージ識別子を、前記１以上のＴＢの任意のコンポーネント(ｃｏｍｐｏｎｅｎｔｓ)の伝送方向とは独立して、割り当てる、ことを含む。
【００１８】
或る実施形態によれば、前記送信方向は、ＵＬ(ｕｐｌｉｎｋ)伝送方向及びＤＬ(ｄｏｗｎｌｉｎｋ)伝送方向の一方を含む。
【００１９】
他の実施形態によれば、前記第１のデュプレックスモードは、ＦＤＤ(ｆｒｅｑｕｅｎｃｙ ｄｉｖｉｓｉｏｎ ｄｕｐｌｅｘ)であっても良く、前記第２のデュプレックスモードは、ＴＤＤ(ｔｉｍｅ ｄｉｖｉｓｉｏｎ ｄｕｐｌｅｘ)であっても良い。前記第１のアクセスノードは、第１のキャリア周波数で動作し得て、前記第２のアクセスノードは、第２のキャリア周波数で動作し得る。
【００２０】
或る実施形態によれば、前記確認メッセージ識別子は、確認メッセージのビットであっても良い。前記確認メッセージ識別子は、ＨＡＲＱ(Ｈｙｂｒｉｄ Ａｕｔｏｍａｔｉｃ Ｒｅｐｅａｔ ｒｅＱｕｅｓｔ)−ＡＣＫ(ａｃｋｎｏｗｌｅｄｇｅｍｅｎｔ)メッセージのビットであり得る。さらに、前記ＨＡＲＱ−ＡＣＫメッセージは、データと多重化され、ＰＵＳＣＨ上で送信され得る。
【００２１】
或る実施形態によれば、前記確認メッセージ識別子は、ＰＵＣＣＨフォーマット１ａ／１ｂ、チャネル選択を伴うＰＵＣＣＨフォーマット１ｂ、及びＰＵＣＣＨフォーマット３の一つに従ったフィードバック(ｆｅｄ ｂａｃｋ)である。
【００２２】
実施形態によれば、前記方法は、前記ＵＥが２つ未満のサービングセルのキャリアアグリゲーションをサポート可能であるかを判定し、前記確認メッセージ識別子を３ＧＰＰ ＬＴＥ ＰＵＣＣＨフォーマット１ａ／１ｂに従ってフィードバックする、ことをさらに含む。
【００２３】
他の実施形態によれば、前記方法は、サブフレームのために、ダウリンク伝送(ＰＤＣＣＨ／ＥＰＤＣＣＨ／ＰＤＳＣＨ)が、前記ＤＬサブフレーム用の前記第２のアクセスノード上で発生しないと判定し、３ＧＰＰ ＬＴＥ ＰＵＣＣＨフォーマット１ａ／１ｂに従ったデータの前記サブフレームのために、前記確認メッセージ識別子をフィードバックする、ことをさらに含む。
【００２４】
更に他の実施形態によれば、前記方法は、前記セカンダリアクセスノード上のＰＤＣＣＨ／ＥＰＤＣＣＨのＤＣＩフォーマットで、ＴＰＣフィールドデータを受信し、前記ＴＰＣフィールドデータに応じ、前記確認メッセージ識別子を、ＰＵＣＣＨリソース上での送信用のＰＵＣＣＨフォーマットに従って割り当てる、ことをさらに含む。
【００２５】
予め定義した値が、ＵＬ(ｕｐｌｉｎｋ)サブフレームの確認メッセージ識別子と関連付けられる。前記予め定義した値は、ＮＡＣＫであり得る。
【００２６】
本発明の或る実施形態は、ＰＣｅｌｌ上の１つのトランスポートブロック及びＳＣｅｌｌ上の２つのトランスポートブロックをサポートする、ＰＵＣＣＨフォーマット１ｂ ＨＡＲＱ−ＡＣＫチャネル選択用のＨＡＲＱ−ＡＣＫ(ｊ)に対するトランスポートブロック及びサービングセルの新たなマッピングを提供する。
【００２７】
さらに、或る実施形態は、サブフレーム上の伝送方向の観点からの曖昧性に因り生じる影響を軽減する、ＦＤＤ−ＴＤＤ ＣＡシステム用のロバスト(ｒｏｂｕｓｔ)なＨＡＲＱ−ＡＣＫコンカチネーション方法を提供する。
【００２８】
或る実施形態は、ＦＤＤ ＰＣｅｌｌ及びＴＤＤで設定される単一のＳＣｅｌｌを伴うＦＤＤ−ＴＤＤ ＣＡシステム用のフォールバック(ｆａｌｌ−ｂａｃｋ)方法を提供する。
【００２９】
最後に、本発明の或る実施形態は、ＵＬサブフレーム用のＤＴＸ又はＮＡＣＫ／ＤＴＸ値を伴うＨＡＲＱ−ＡＣＫ識別子を生成し、ＰＤＳＣＨ／ＰＤＣＣＨ／ＥＰＤＣＣＨとＨＡＲＱ−ＡＣＫとの間の関係の観点から、ＵＥとｅＮＢ(基地局)との間の共通理解を可能にする方法を提供する。
【００３０】
本明細書で説明する任意の特徴は、発明の範囲内で説明する任意の１以上の他の特徴と任意の組合せで組み合わせることが可能である。
【００３１】
本明細書中での従来技術の参照は、当該従来技術が公知常識の一部を形成することの承認又は如何なる示唆として扱われるものでも、扱われるべきものでも無い。
【発明の効果】
【００３２】
本発明によれば、上述したデメリットの少なくとも一つを少なくとも部分的に解消するか、或いは消費者へ有益又は営利な選択を提供することが可能である。
【図面の簡単な説明】
【００３３】
【図１】本発明の実施形態に係る、アドバンスト無線通信システムを示している。
【図２Ａ】本発明の他の実施形態に係る、アドバンスト無線通信システムの一部分の簡略化されたブロック図を示している。
【図２Ｂ】本発明の他の実施形態に係る、アドバンスト無線通信システムの残り部分の簡略化されたブロック図を示している。
【図３】本発明の実施形態に係る、ＦＤＤ−ＴＤＤ ＣＡシステムのためのＨＡＲＱ−ＡＣＫビットコンカチネーションを示している。
【発明を実施するための形態】
【００３４】
発明の好ましい特徴、実施形態及びバリエーションは、当業者が発明を実施するために十分な情報を提供する下記の実施形態の説明とは区別され得る。実施形態の説明は、前述した発明の概要の範囲を何らか限定するものとして見做されるべきでは無い。実施形態の説明は、次の通り幾つかの図面について言及する。
【００３５】
図１は、本発明の実施形態に係る、アドバンスト無線通信システム１００を示している。アドバンスト無線通信システム１００は、効率的なＦＤＤ及びＴＤＤのキャリアアグリゲーションを可能にする。
【００３６】
アドバンスト無線通信システム１００は、対を成すＤＬ及びＵＬキャリア周波数上でＦＤＤ信号を送受信可能なマクロ基地局を表す複数のＦＤＤマクロアクセスノード１０１と、対を成すＤＬ及びＵＬキャリア周波数上でＦＤＤ信号を送受信可能なピコ基地局を表す複数のＦＤＤスモールセルアクセスノード１０２と、を含む。アドバンスト無線通信システム１００は、さらに、単一の対を成さないキャリア周波数上でＤＬ及びＵＬ ＴＤＤ信号を送受信可能なピコ基地局を表す複数のＴＤＤスモールセルアクセスノード１０３と、ＦＤＤ信号送受信、ＴＤＤ信号送受信及びＦＤＤ−ＴＤＤキャリアアグリゲーション形式のＦＤＤ−ＴＤＤ信号送受信を行うことが可能な複数のアドバンストＵＥ(ｕｓｅｒ ｅｑｕｉｐｍｅｎｔｓ) １０４、１０５及び１０６と、を含む。
【００３７】
ＦＤＤマクロアクセスノード１０１は、第１のキャリア周波数対Ｆ１上でマクロセル(ｍａｃｒｏ−ｃｅｌｌｓ)を提供し、各マクロセルは、大規模カバレッジを提供する。ＦＤＤスモールセルアクセスノード１０２は、第２のキャリア周波数対Ｆ２上でスモールセル(ｓｍａｌｌ−ｃｅｌｌｓ)を提供し、ＴＤＤスモールセルアクセスノード１０３は、第３の非対キャリア周波数Ｆ３上でスモールセルを提供する。
【００３８】
第１のキャリア周波数Ｆ１と第２のキャリア周波数Ｆ２とは、同一であるか或いは異なるキャリア周波数であり得る。さらに、第１のキャリア周波数Ｆ１のＵＬキャリア周波数コンポーネントと、第３のキャリア周波数Ｆ３とは、同一であるか或いは異なるキャリア周波数であり得る。
【００３９】
ＦＤＤマクロアクセスノード１０１は、ＦＤＤスモールセルアクセスノード１０２及びＴＤＤスモールセルアクセスノード１０３と、(図示を省略する)バックホールにより相互接続される。本発明の或る実施形態によれば、アドバンスト無線通信システム１００は、第１の展開シナリオ１１０によって示す如く、ＦＤＤキャリアがＰＣｅｌｌであり且つＴＤＤキャリアがＳＣｅｌｌであるＦＤＤ−ＴＤＤキャリアアグリゲーションを可能にする。
【００４０】
そのようなものとして、ＰＣｅｌｌは、最良のチャネル品質を有するサービングセルで無くても良い。これは、ＵＥ １０４、１０５及び１０６が、ＴＤＤスモールセルアクセスノード１０３に近接する一方で、ＦＤＤマクロセルアクセスノード１０１から離れ得るためである。要するに、ＰＣｅｌｌは、マクロカバレッジを提供し、システム情報(ｓｙｓｔｅｍ ｉｎｆｏｒｍａｔｉｏｎ)をブロードキャストし、コントロールプレーン(ｃｏｎｔｒｏｌ ｐｌａｎｅ)の接続性を提供するサービングセルであり得て、ＳＣｅｌｌ(ｓ)は、スモールセル、及びユーザデータ送受信のためのユーザプレーン(ｕｓｅｒ ｐｌａｎｅ)の接続性を提供するサービングセルであり得る。
【００４１】
このような設定は、ＰＣｅｌｌレベルのハンドオーバを、ＵＥ １０４、１０５及び１０６が一のＴＤＤスモールセルアクセスノード１０３から他のＴＤＤスモールセルアクセスノード１０３へ移動するよう最小化することが可能である。ＦＤＤマクロセルアクセスノード１０１と比して、ＴＤＤスモールセルアクセスノード１０３は、ＵＥ １０４、１０５、１０６のＴＤＤスモールセルアクセスノード１０３への近接が低いカップリングロスをもたらすため、より良好なリンク品質を提供可能である。
【００４２】
第１の展開シナリオ１１０によれば、ＵＥ １０４は、初めにＦＤＤマクロセルアクセスノード１０１を検出して在圏する。ＵＥ １０４は、ＦＤＤマクロセルアクセスノード１０１を介してＦＤＤキャリア上で、アドバンスト移動体ネットワークとのＲＲＣコネクションを確立する。モビリティに因り、ＵＥ １０４は、次いでＴＤＤスモールセルアクセスノード１０３によりサービスされるスモールセルカバレッジへ進入する。ＦＤＤマクロセルアクセスノード１０１を経由する専用(ｄｅｄｉｃａｔｅｄ)ＲＲＣシグナリングを介して、ＵＥ １０４は、ＴＤＤスモールセル測定を実行し、ＴＤＤスモールセルアクセスノード１０３によりサービスされる第２のＴＤＤキャリアコンポーネントを、更なるデータ送受信用の補助的にアグリゲートされたキャリアとして追加するよう設定される。第２のＴＤＤキャリアコンポートネントが、ＦＤＤマクロセルアクセスノード１０１によりサービスされるアンカー(ａｎｃｈｏｒ)コンポーネントとしてのプライマリＦＤＤキャリアコンポーネントに加えて追加される。
【００４３】
ＦＤＤマクロセルアクセスノード１０１によりサービスされるプライマリキャリアコンポーネント(又はＰＣｅｌｌ)はＬＴＥ ＦＤＤであり、ＴＤＤスモールセルアクセスノード１０３によりサービスされるセカンダリキャリアコンポーネント(ＳＣｅｌｌ)はＬＴＥ−ＴＤＤである。第１の展開シナリオ１１０では、５つ迄のＳＣｅｌｌが存在し得る。シナリオ１１０におけるＵＥ位置では、ＦＤＤマクロセルアクセスノード１０１が、ＵＥ １０４を、ＰＣｅｌｌ上で１又は２つのＴＢを伴い、ＳＣｅｌｌ上で１つのＴＢを伴うＴＭを有するように設定しても良い。シナリオ１１１におけるＵＥ位置では、ＦＤＤマクロセルアクセスノード１０１が、ＵＥ １０４を、ＰＣｅｌｌ上で１つのＴＢを伴い、ＳＣｅｌｌ上で１又は２つのＴＢを伴うＴＭを有するように設定しても良い。
【００４４】
代替の実施形態によれば、アドバンスト無線通信システム１００は、第２の展開シナリオ１１２によって示す如く、ＦＤＤキャリアがＰＣｅｌｌであり且つフレキシブルなＴＤＤキャリアがＳＣｅｌｌであるＦＤＤ−ＴＤＤキャリアアグリゲーションを可能にする。
【００４５】
第２の展開シナリオ１１２によれば、ＵＥ １０５は、ＦＤＤマクロセル基地局１０１を検出して在圏する。ＵＥ １０５は、ＦＤＤマクロセルアクセスノード１０１を介してＦＤＤキャリア上で、アドバンスト移動体ネットワークとのＲＲＣコネクションを確立する。ＦＤＤマクロセルアクセスノード１０１を経由する専用ＲＲＣシグナリングを介して、ＵＥ １０５は、ＴＤＤスモールセル測定を実行し、ＴＤＤスモールセルアクセスノード１０３によりサービスされる第２のＴＤＤキャリアコンポーネントを、更なるデータ送受信用の補助的にアグリゲートされたキャリアとして追加するよう設定される。第２のＴＤＤキャリアコンポートネントが、ＦＤＤマクロセルアクセスノード１０１によりサービスされるアンカーコンポーネントとしてのプライマリＦＤＤキャリアコンポーネントに加えられる。マクロセルアクセスノード１０１によりサービスされるプライマリキャリアコンポーネントはＬＴＥ ＦＤＤであり、ＴＤＤスモールセルアクセスノード１０３によりサービスされるセカンダリキャリアコンポーネントはフレキシブルなＬＴＥ−ＴＤＤである。
【００４６】
ＴＤＤスモールセルアクセスノード１０３内のトラヒックは、新たなＵＥがＴＤＤスモールセルアクセスノード１０３へ入るか、或いは既存のＵＥがＴＤＤスモールセルアクセスノード１０３から離れることに因って変化し得る。実例として図１を参照すると、ＵＥ １０６は、ＵＥモビリティ１２２に因りマクロセルアクセスノード１０１からＴＤＤスモールセルアクセスノード１０３へハンドオーバし、及び／又はモビリティ１２３に因りＴＤＤピコセル１０３からＦＤＤマクロセルアクセスノード１０１へハンドオーバし得る。セルトラヒックが変化すると、ＴＤＤスモールセルアクセスノード１０３は、セルＵＬ−ＤＬ設定をフレキシブルに変更して、自身のカバレッジ内のアクティブＵＥ毎にユーザが体験するスループットを最適化し得る。第１の展開シナリオ１１０を参照して議論した通り、ＵＥ １０５の位置に応じて、ＰＣｅｌｌとＳＣｅｌｌとの間での結果的なチャネル品質の差が、ＳＣｅｌｌをＰＣｅｌｌよりも高い数のＴＢを伴うＴＭで設定することを引き起こす。
【００４７】
図２Ａ及び図２Ｂは、本発明の実施形態に係る、アドバンスト無線通信システム２００の簡略化されたブロック図を示している。アドバンスト無線通信システム２００は、図１のＦＤＤマクロセルアクセスノード１０１等のＦＤＤアクセスノードを表すＦＤＤアドバンスト基地局２１０と、図１のＴＤＤスモールセルアクセスノード１０３等のＴＤＤアクセスノードを表すＴＤＤアドバンスト基地局２３０と、を含む。アドバンスト無線通信システム２００は、さらに、図１のＵＥ １０４又は１０５等のシステム間ＦＤＤ−ＴＤＤ ＣＡを実行可能なＵＥを表すアドバンストＵＥ ２５０の簡略化されたブロック図を含む。
【００４８】
アドバンストＦＤＤ基地局２１０は、プロセッサ２１１と、プログラム指示及びデータベースを含むメモリ２１２と、ＤＬキャリアコンポーネント上で動作する送信機及びＵＬキャリアコンポーネント上で動作する受信機を有するＦＤＤ ＲＦ(ｒａｄｉｏ ｆｒｅｑｕｅｎｃｙ)モジュール２１３と、セルにおいてセルラ無線周波数信号をＵＥへ送信し且つセルにおいて無線周波数信号をＵＥから受信するためのアンテナアレイ２１４と、ＤＬトランスポートチャネル及び物理チャネルのコーディング及び信号処理、並びに制御信号及びリファレンス信号処理を実行するためのＴＸモジュール２１５と、を含む。アドバンストＦＤＤ基地局２１０は、さらに、ＵＬチャネル受信、信号処理及びチャネルデコーディングを実行するためのＲＸモジュール２１６、を含む。以下でより詳細に議論する如く、ＲＸモジュールは、さらに、ＰＵＣＣＨ上で受信されるＨＡＲＱ−ＡＣＫシンボルをデコードし且つ解釈するためのＨＡＲＱ−ＡＣＫデマッピングモジュール２２５、を含む。
【００４９】
アドバンストＴＤＤ基地局２３０は、プロセッサ２３１と、プログラム指示及びデータベースを含むメモリ２３２と、同一のキャリアコンポーネント上で動作する送信機及び受信機を有するＴＤＤ ＲＦ(ｒａｄｉｏ ｆｒｅｑｕｅｎｃｙ)モジュール２３３と、セルにおいてセルラ無線周波数信号をＵＥと送受信するためのアンテナアレイ２３４と、ＤＬトランスポートチャネル及び物理チャネルのコーディング及び信号処理、並びに制御信号及びリファレンス信号処理を実行するためのＴＸモジュール２３５と、ＵＬチャネル受信、信号処理及びチャネルデコーディングを実行するためのＲＸモジュール２３６と、を含む。以下で更に議論する如く、ＲＸモジュールは、さらに、ＰＵＳＣＨ上で受信されるＨＡＲＱ−ＡＣＫシンボルをデコードし且つ解釈するためのＨＡＲＱ−ＡＣＫデマッピングモジュール２２５、を含む。
【００５０】
アドバンストＵＥ ２５０は、プロセッサ２５１と、プログラム指示及びデータベースを含むメモリ２５２と、ＵＬキャリアコンポーネント上で動作する送信機及びＤＬキャリアコンポーネント上で動作する受信機を有するＦＤＤ ＲＦ(ｒａｄｉｏ ｆｒｅｑｕｅｎｃｙ)モジュール２５３と、セルラ無線周波数信号をサービシングＦＤＤ基地局へ送信し且つ無線周波数信号をサービシングＦＤＤ基地局から受信するためのアンテナアレイ２５４と、同一のキャリアコンポーネント上で動作する送信機及び受信機を有するＴＤＤ ＲＦ(ｒａｄｉｏ ｆｒｅｑｕｅｎｃｙ)モジュール２５５と、セルラ無線周波数信号をサービシングＴＤＤ基地局と送受信するためのアンテナアレイ２５６と、ＤＬトランスポートチャネル及び物理チャネルの受信、信号処理並びにデコーディングを実行するためのＲＸモジュール２５７と、を含む。ＲＸモジュール２５７は、さらに、ＵＬチャネルエンコーディング及び送信を実行するＴＸモジュール２５８、を含む。以下でより詳細に議論する如く、ＴＸモジュールは、送信されるＨＡＲＱ−ＡＣＫシンボルをエンコードするためのＨＡＲＱ−ＡＣＫマッピング＆コンカチネーションモジュール２６５、を含む。
【００５１】
本発明の第１の態様は、ＦＤＤ ＰＣｅｌｌが１つのトランスポートブロック又は２つのトランスポートブロックをサポートするＴＭ(Ｔｒａｎｓｍｉｓｓｉｏｎ Ｍｏｄｅ)で設定される一方、ＳＣｅｌｌが１つのトランスポートブロック又は２つのトランスポートブロックをサポートするＴＭで独立して設定される場合における、ＦＤＤ−ＴＤＤ ＣＡシステム用のＨＡＲＱ−ＡＣＫフィードバック方法に関する。
【００５２】
上述した通り、ＬＴＥ Ｒｅｌ．１０〜１１ ＣＡシステムにおいて、ＰＣｅｌｌは常時、最良のチャネル品質を有するサービングセルであり、以てＰＣｅｌｌは常時、ＳＣｅｌｌと同一又はより高い数のＴＢ(例えば、ＳＣｅｌｌ上で２つのＴＢ且つＰＣｅｌｌ上で１つのＴＢ)をサポートするＴＭで設定される。よって、旧来のＬＴＥ Ｒｅｌ’１０及び１１ ＣＡは、以下の表１Ａに示す如く、３つの設定Ａ＝２、Ａ＝３及びＡ＝４から成る。
【００５３】
【表１Ａ】
2020039159.tif 000005
【００５４】
表１Ａを参照すると、Ａ＝３のケースに対しては、ＰＣｅｌｌ上の２つのＴＢ用に２つのＨＡＲＱ−ＡＣＫビットが存在し、ＳＣｅｌｌ上の１つのＴＢ用に１つのＨＡＲＱ−ＡＣＫビットが存在する。従って、１つのＴＢを有するＰＣｅｌｌ及び２つのＴＢを有するＳＣｅｌｌのためのＨＡＲＱ−ＡＣＫ設定は何ら存在しない。
【００５５】
しかしながら、上述した通りに、ＰＣｅｌｌは、マクロカバレッジを提供し、システム情報をブロードキャストし、モビリティ管理を実行し且つ制御プレーンの接続性を提供するマクロセルとして展開され得る。このため、ＳＣｅｌｌを、Ｐｃｅｌｌよりも多くのＴＢを有することを可能にするのが望ましい。そのようなものとして、新たなＨＡＲＱマッピングテーブルが、表１Ｂにおいて提供される。このテーブルはエントリＡ＝３＊を含み、以て以下に示す如く４つの利用可能な設定を提供する。
【００５６】
【表１Ｂ】
2020039159.tif 000006
【００５７】
フォーマット１ｂ ＨＡＲＱ−ＡＣＫチャネル選択の送信のために、表２は、Ａ＝２用のフォーマット１ｂ ＨＡＲＱ−ＡＣＫチャネル選択の送信を示し、表３は、Ａ＝３用のフォーマット１ｂ ＨＡＲＱ−ＡＣＫチャネル選択の送信を示し、表４は、Ａ＝４用のフォーマット１ｂ ＨＡＲＱ−ＡＣＫチャネル選択の送信を示している。
【００５８】
【表２】
2020039159.tif 000007
【００５９】
【表３】
2020039159.tif 000008
【００６０】
【表４】
2020039159.tif 000009
【００６１】
ＰＤＣＣＨ／ＥＰＤＣＨが用いられる場合、ＰＵＣＣＨリソースは、次の通りに規定される。
【００６２】
2020039159.tif 000010
【００６３】
ＰＤＣＣＨ／ＥＰＤＣＨが用いられる場合、ＰＵＣＣＨのインデックスは、３ＧＰＰ ＬＴＥ Ｒｅｌ.１１仕様に適切に基づいて決定され得る。便宜上、以降の段落では、ＰＤＣＣＨを幾つかの例とするが、ＦＤＤ−ＴＤＤ ＣＡシステムにおけるＥＰＤＣＣＨの使用を除外するものでは無い。
【００６４】
発明の第２の態様は、ＰＣｅｌｌがＦＤＤサービングセルである場合に、ＦＤＤ−ＴＤＤ ＣＡシステムにおけるＰＤＳＣＨ ＨＡＲＱ−ＡＣＫビットをコンカチネート(ｃｏｎｃａｔｅｎａｔｅ：結合)する方法を含む。
【００６５】
ＦＤＤ ＰＣｅｌｌ及びＴＤＤ ＳＣｅｌｌを含む最大で２つのサービングセルのキャリアアグリゲーションをサポートするＵＥのため、以下で更に詳細に議論する如く、３ＧＰＰ ＬＴＥで定義されるＰＵＣＣＨフォーマット１ｂを、２以上のサービングセルで設定される場合におけるＨＡＲＱ−ＡＣＫの送信用のチャネル選択に利用する。
【００６６】
ＦＤＤ ＰＣｅｌｌ及び少なくとも１つのＴＤＤ ＳＣｅｌｌを含む２以上のサービングセルのキャリアアグリゲーションをサポートするＵＥのためには、以下で更に詳細に議論する如く、ＵＥを高次レイヤで設定して、ＦＤＤ ＰＣｅｌｌ及び少なくとも１つのＴＤＤ ＳＣｅｌｌによる２以上のサービングセルで設定される場合におけるＨＡＲＱ−ＡＣＫの送信用に、チャネル選択を伴うＰＵＣＣＨフォーマット１ｂ、又は３ＧＰＰ ＬＴＥで定義されるＰＵＣＣＨフォーマット３の一方を用いる。
【００６７】
最後に、ＦＤＤがＰＣｅｌｌとして設定され且つ少なくとも１つのＳＣｅｌｌがＴＤＤサービングセルである場合、２以上の設定されたサービングセルのためのＰＵＣＣＨ上でのＨＡＲＱ−ＡＣＫフィードバック手順は、以下で更に詳細に議論する如く、ＰＵＣＣＨフォーマット１ａ／１ｂ、チャネル選択を伴うＰＵＣＣＨフォーマット１ｂ、又はＰＵＣＣＨフォーマット３のいずれかに基づくものである。
【００６８】
＜チャネル選択ＨＡＲＱ手順を伴うＰＵＣＣＨフォーマット１ｂ＞
【００６９】
ＦＤＤ ＰＣｅｌｌ及び１つのＴＤＤ ＳＣｅｌｌのみを有するＦＤＤ−ＴＤＤ ＣＡシステムのためには、チャネル選択を伴うＰＵＣＣＨフォーマット１ｂを用いてＨＡＲＱ−ＡＣＫをフィードバックすることが可能である。以降の段落では、特に明記しない限り、ＦＤＤ ＰＣｅｌｌが、２つ迄のＴＢをサポートするＴＭで設定され、ＴＤＤ ＳＣｅｌｌが、１つのＴＢのみをサポートするＴＭで設定されるものとする。
【００７０】
上述した通り、ＵＥは、再設定メッセージ／シグナリングの検出に失敗し得る。結果として、フォールバックメカニズムが使用される場合であっても、ＵＥ及びｅＮＢは、或るサブフレームの伝送方向について異なる理解を有し得る。特に図３を参照すると、ＵＥは、ＴＤＤ ＳＣｅｌｌ−１におけるパーシステント(ｐｅｒｓｉｓｔｅｎｔ)・ウィンドウ＃ｎ＋１の間に再設定シグナリングのデコードに失敗し、以てフレーム＃ｎ＋１においてＴＤＤ設定＃１を誤って適用し得る。この問題を緩和又は少なくとも改善するため、ＦＤＤ ＰＣｅｌｌ及びＴＤＤ ＳＣｅｌｌからのＨＡＲＱ−ＡＫＣビットをコンカチネートする２つの方法が提供される。
＜オプション１：ＨＡＲＱ−ＡＣＫをＴＤＤサービングセル上のＵＬ及びＤＬサブフレームのために生成＞
【００７１】
ＨＡＲＱ−ＡＣＫシグナリングに用いるビットの数は、サービングセルの数及び各サービングセルの伝送モードに基づいて決定される。ＴＤＤサービングセルにおけるサブフレームがＵＥによってＵＬサブフレームであると見做される場合、対応ＨＡＲＱ−ＡＣＫビットは、ＤＴＸ又はＮＡＣＫ／ＤＴＸとして割り当てられる。そして、ＨＡＲＱ−ＡＣＫシグナリングの送信は、表２、表３又は表４にそれぞれ従って、Ａ＝２、Ａ＝３又はＡ＝４のためのチャネル選択を伴うＰＵＣＣＨフォーマット１ｂを用いて行われる。
【００７２】
チャネル選択を伴うＰＵＣＣＨフォーマット１ｂ用のＨＡＲＱ−ＡＣＫ(ｊ)に対するトランスポートブロック及びサービングセルのマッピングは、上記の表１で規定される。
【００７３】
2020039159.tif 000011
【００７４】
2020039159.tif 000012
【００７５】
また更に図３に示す如く、ＨＡＲＱ−ＡＣＫ(０)及びＨＡＲＱ−ＡＣＫ(１)は、後にＦＤＤサービングセル上のＤＬサブフレーム＃３(３０５)に関連付けられ、ＨＡＲＱ−ＡＣＫ(２)は、ＴＤＤサービングセルにおけるサブフレーム＃３(３１１)に関連付けられる。例えばＴＤＤ ＳＣｅｌｌがｅＩＭＴＡで設定される場合に高速シグナルされた再設定がＵＥにより検出されなかったために、ＵＥがパーシステント・ウィンドウ−ｎ＋１において新たなシステム情報(すなわち、＃１から＃５へのＵＬ−ＤＬ設定変更)を見落とすならば、ｅＮＢ及びＵＥは、サブフレーム＃３(３１１)、サブフレーム＃７(３１２)及びサブフレーム＃８(３１７)上での伝送方向の観点から異なる理解を有し得るであろう。
【００７６】
2020039159.tif 000013
【００７７】
同様に、ＦＤＤ ＰＣｅｌｌ及びＴＤＤ ＳＣｅｌｌの両者が２つ迄のトランスポートブロックをサポートするＴＭで設定される場合、表４をＨＡＲＱ−ＡＣＫフィードバックのために採用する。
＜オプション２：フォールバック方法＞
【００７８】
ＵＥがＦＤＤ ＰＣｅｌｌ上でのみＤＬ送信を検出する場合には、フォールバック方法、すなわちＰＵＣＣＨフォーマット１ａ／１ｂを用いて、ＦＤＤ ＰＣｅｌｌのためにＨＡＲＱ−ＡＣＫをフィードバックスすることが可能である。このことは、例えばＴＤＤ ＳＣｅｌｌにおけるサブフレームがＵＬサブフレームとして使用されるか、或いはＴＤＤ ＳＣｅｌｌのＤＬサブフレーム上でＰＤＳＣＨ／ＰＤＣＣＨ／ＥＰＤＣＣＨが検出されないために発生する。
【００７９】
３ＧＰＰ ＬＴＥ Ｒｅｌ．８〜１１で規定されるように、ＰＵＣＣＨフォーマット１ａ／１ｂを使用すべきか否かは、要求されるＨＡＲＱ−ＡＣＫビットの数に依存する。ＴＤＤサービングセル上の一のサブフレームがＵＬサブフレームであると判定された場合、そのためのＨＡＲＱ−ＡＣＫビットは生成されるべきでは無い。そのようなものとして、ＦＤＤ ＰＣｅｌｌ用のＨＡＲＱ−ＡＣＫを、あたかもＵＥが１つのＦＤＤサービングセルのみで設定されていたかの如く、ＰＵＣＣＨフォーマット１ａ／１ｂを用いてフィードバックすることが可能である。
【００８０】
そして、ｅＮＢ及びＵＥは、採用されるフィードバックスキームの観点から異なる理解を有し得るが、ＦＤＤ ＰＣｅｌｌ上でのＰＤＳＣＨ／ＰＤＣＣＨ／ＥＰＤＣＣＨ送信用のＨＡＲＱ−ＡＣＫビットについて共通の解釈をすることができるだろう。
【００８１】
例えば、図３(３００．１)に示す如く、ＨＡＲＱ−ＡＣＫ(０)及びＨＡＲＱ−ＡＣＫ(１)が、ＦＤＤサービングセル上のＤＬサブフレーム＃９(３０２)に関連付けられる。ＴＤＤ ＳＣｅｌｌ−１上のＤＬサブフレーム＃９(３０９)においてＰＤＳＣＨ／ＰＤＣＣＨ／ＥＰＤＣＣＨが検出されない場合、ＨＡＲＱ−ＡＣＫ(２)は生成されないだろうし、ＰＵＣＣＨフォーマット１ｂを、ＵＥによりフォールバック方法として使用することが可能である。
【００８２】
2020039159.tif 000014
【００８３】
2020039159.tif 000015
【００８４】
2020039159.tif 000016
【００８５】
2020039159.tif 000017
【００８６】
2020039159.tif 000018
【００８７】
前述した通り、再設定エラーの場合には、ｅＮＢ及びＵＥがサブフレームの伝送方向の観点から異なる理解を有し得る。例えば、図３に示すように、サブフレーム＃３(３１１)、サブフレーム＃７(３１２)及びサブフレーム＃８(３１７)上で、ＵＥは、新たなシステム情報(すなわち、ＴＤＤ設定＃５)をパーシステント・ウィンドウ−２の間に正しく受信していなかった。これは、ＴＤＤ ＳＣｅｌｌがｅＩＭＴＡで設定される場合に高速再設定シグナリングがＵＥにより検出されない為であり得る。
【００８８】
ＨＡＲ−ＡＣＫ(０)及びＨＡＲＱ−ＡＣＫ(１)は、ＦＤＤサービングセル上のＤＬサブフレーム＃３(３０５)に関連付けられる。ＴＤＤサービングセルにおけるサブフレーム＃３(３１１)はＵＥによりＵＬサブフレームとして見做されるため、関連したＨＡＲＱ−ＡＣＫは生成されないであろう。このような場合、ＵＥは、ＰＣｅｌｌ上でのＤＬ送信のためのＨＡＲＱ−ＡＣＫをフィードバックする際にＰＵＣＣＨフォーマット１ｂを用い、ｅＮＢは、チャネル選択を伴うＰＵＣＣＨフォーマット１ｂを仮定したＨＡＲＱ−ＡＣＫフィードバックが用いられていると解釈する。
【００８９】
2020039159.tif 000019
【００９０】
2020039159.tif 000020
【００９１】
2020039159.tif 000021
【００９２】
上記の例から、ＵＥにて設定エラーが生じた場合であっても、ｅＮＢがＦＤＤ ＰＣｅｌｌ上でのＤＬ送信用のＨＡＲＱ−ＡＣＫビットを受信し且つ正しく解釈可能であることは明らかである。
【００９３】
＜ＰＵＣＣＨフォーマット３ ＨＡＲＱ手順＞
【００９４】
例えば対応ＰＤＣＣＨ／ＥＰＤＣＣＨ、ＦＤＤ ＰＣｅｌｌ上でのダウンリンクＳＰＳ解放を示すＰＤＣＣＨ／ＥＰＤＣＣＨの検出によって示されるＦＤＤ ＰＣｅｌｌ上でのみのＰＤＳＣＨ送信、又は対応ＰＤＣＣＨ／ＥＰＤＣＣＨが存在しないＦＤＤ ＰＣｅｌｌ上でのＰＤＳＣＨ送信のために、ＰＵＣＣＨフォーマット１ａ／１ｂを用いて、ＨＡＲＱ−ＡＣＫメッセージを送信する。但し、ＰＵＣＣＨフォーマット３が設定される。
【００９５】
クロスキャリア(ｃｒｏｓｓ−ｃａｒｒｉｅｒ)スケジューリングが設定され、且つＴＤＤ ＳＣｅｌｌ上のサブフレームがＵＬサブフレームであると見做される場合、ＵＥは、ＰＣｅｌｌ上でＴＤＤ ＳＣｅｌｌのＰＤＣＣＨ／ＥＰＤＣＣＨのブラインドデコードを試みても、試みなくても良い。
【００９６】
2020039159.tif 000022
【００９７】
ＰＵＣＣＨフォーマット３を用いる場合、すなわち、ＵＥがＰＵＣＣＨフォーマット１ａ／１ｂへフォールバックしない場合、ＵＥがサブフレームをＤＬ／スペシャルサブフレーム又はＵＬサブフレームとして扱うか否かに関わらず、ＨＡＲＱ−ＡＣＫビットを各サービングセル上での対応サブフレームのために生成する必要がある。
【００９８】
図３(３００．２)に示すように、ＴＤＤ ＳＣｅｌｌ ２が２つのトランスポートブロックをサポートするＴＭで設定されるとすると、ＨＡＲＱ−ＡＣＫ(０)及びＨＡＲＱ−ＡＣＫ(１)が、ＦＤＤ ＰＣｅｌｌ上のＤＬサブフレーム＃９(３０２)のために生成され、ＨＡＲＱ−ＡＣＫ(２)が、ＴＤＤ ＳＣｅｌｌ−１上のＤＬサブフレーム＃９(３０９)のために生成され、ＨＡＲＱ−ＡＣＫ(３)及びＨＡＲＱ−ＡＣＫ(４)が、ＴＤＤ ＳＣｅｌｌ−２上のＤＬサブフレーム＃９(３１３)のために生成される。ｅＮＢ側では、ｅＮＢが各サービングセルのＴＭを知見し、よって各ＤＬ ＰＤＳＣＨ／ＰＤＣＣＨ／ＥＰＤＣＣＨ用のＨＡＲＱ−ＡＣＫを知見しているため、送信を曖昧性無しでデコードすることが可能である。
【００９９】
更に図３に示すように、ＵＥがＴＤＤ ＳＣｅｌｌ−１上のサブフレーム＃２(３１０)及びＴＤＤ ＳＣｅｌｌ−２上のサブフレーム＃２(３１４)をＵＬサブフレームと見做すため、ＤＬサブフレームがＰＣｅｌｌ上に割り当てられ且つＵＬサブフレームがＳＣｅｌｌ上に割り当てられる。従って、ＵＥは、ＦＤＤ ＰＣｅｌｌのＤＬサブフレーム＃３(３０３)上でＰＤＳＣＨ／ＰＤＣＣＨ／ＥＰＤＣＣＨを検出するのみである。よって、ＰＵＣＣＨフォーマット１ｂが、ＰＣｅｌｌ上の２つのＴＢ用の２つのＨＡＲＱ−ＡＣＫビットをフィードバックするために採用される。ｅＮＢ側では、ＰＤＳＣＨ／ＰＤＣＣＨ／ＥＰＤＣＣＨをＴＤＤ ＳＣｅｌｌ−１のサブフレーム＃２(３１０)又はＴＤＤ ＳＣｅｌｌ−２のサブフレーム＃２(３１４)上では送信しなかったため、ＰＵＣＣＨフォーマット１ｂが予測されて、ＨＡＲＱ−ＡＣＫ(０)及びＨＡＲＱ−ＡＣＫ(１)を、送信を曖昧性無しでデコードすることが可能である。
【０１００】
更に図３に示すように、ＵＥは、ＵＬ−ＤＬ再設定シグナリングを見落とし得るために、ＵＬ−ＤＬ設定変更の検出に失敗し得る。そのようなものとして、ＵＥは、サブフレーム＃３(３１１)をＵＬサブフレームと見做し得て、ｅＮＢにより送信されたＰＤＳＣＨ／ＰＤＣＣＨ／ＥＰＤＣＣＨは、ＵＥにより本ＤＬサブフレーム上では受信されないであろう。ＨＡＲＱ−ＡＣＫビットを、ＵＥによりＵＬサブフレームとして見做されるサブフレームのために生成しない場合、ｅＮＢは、ＨＡＲＱ−ＡＣＫと対応ＰＤＳＣＨ／ＰＤＣＣＨ／ＥＰＤＣＣＨとの間の関係を理解するに際して問題を抱える。例えば、ＨＡＲＱ−ＡＣＫ(０)及びＨＡＲＱ−ＡＣＫ(１)がＦＤＤ ＰＣｅｌｌのために生成され、且つＨＡＲＱ−ＡＣＫ(２)及びＨＡＲＱ−ＡＣＫ(３)がＴＤＤ ＳＣｅｌｌ−２のために生成される場合、ｅＮＢは、ＨＡＲＱ−ＡＣＫ(２)がＴＤＤ ＳＣｅｌｌ−１のＤＬサブフレーム＃３(３１１)上でのＤＬ送信のためのＨＡＲＱ−ＡＣＫフィードバックであり、ＨＡＲＱ−ＡＣＫ(３)がＴＤＤ ＳＣｅｌｌ−２のＤＬサブフレーム＃３(３１５)上でのＤＬ送信のためのものであると認識し得る。この結果、ｅＮＢは、２つのＴＢをサポートするＴＭが設定される場合における２つのＨＡＲＱ−ＡＣＫビットを期待するため、ＴＤＤ ＳＣｅｌｌ−１のＤＬサブフレーム＃３(３１１)上でのＤＬ送信は再送されないだろうし、ＴＤＤ ＳＣｅｌｌ−２のＤＬサブフレーム＃３(３１５)上でのＤＬ送信は再送されるであろう。
【０１０１】
この曖昧性を解決するため、ＵＥは、ＵＬサブフレームのためのＨＡＲＱ−ＡＣＫビットを生成することが可能である。これは、全てのＴＤＤフレームにおけるサブフレーム＃２等の固定ＵＬサブフレームに対してさえ用いることが可能である。このような場合、関連ＨＡＲＱ−ＡＣＫ(ｊ)は“ＮＡＣＫ”で割り当てられる。例えば、ＨＡＲＱ−ＡＣＫ(０)及びＨＡＲＱ−ＡＣＫ(１)が、ＦＤＤ ＰＣｅｌｌ上のＤＬサブフレーム＃３(３０５)のために生成され、ＵＥはサブフレーム＃３(３１１)がＵＬ送信に用いられていると認識するため、ＨＡＲＱ−ＡＣＫ(２)が、ＴＤＤ ＳＣｅｌｌ上のサブフレーム＃３(３１１)のために“ＮＡＣＫ”の値で生成され、ＨＡＲＱ−ＡＣＫ(３)及びＨＡＲＱ−ＡＣＫ(４)が、ＴＤＤ ＳＣｅｌｌ−２上のサブフレーム＃３(３１５)のために生成される。ｅＮＢ側では、各サービングセルに関する設定ＴＭに基づき５ビットのＨＡＲＱ−ＡＣＫメッセージが期待されるため、ｅＮＢは、受信した５ビットのＨＡＲＱ−ＡＣＫを各サービングセルにおけるＰＤＳＣＨ／ＰＤＣＣＨ／ＥＰＤＣＣＨ送信とリンク付けすることに何ら問題を抱えないはずである。
【０１０２】
ＰＵＳＣＨ及びＰＵＣＣＨの同時送信が設定されず、且つＵＬ送信がＨＡＲＱ−ＡＣＫフィードバックを伴うＵＬサブフレーム上でスケジュールされない場合、ＨＡＲＱ−ＡＣＫビットは、データと多重されて、ＰＵＳＣＨ上で送信される。２以上の設定されたサービングセルのためのＰＵＳＣＨ上でのＨＡＲＱ−ＡＣＫフィードバック手順を、次の通りに詳述する。
【０１０３】
ＨＡＲＱ−ＡＣＫビットの数は、設定されたサービングセルの数及び各サービングセルにおいて設定されたＴＭに基づいて決定される。ＨＡＲＱ−ＡＣＫビットは、サブフレームがＴＤＤ ＳＣｅｌｌ上でＤＬサブフレーム又はＵＬサブフレームとして使用されるかを問わず、サービングセルに亘る全てのサブフレームのために生成される。ＴＤＤサービングセル上のサブフレーム＃２等の固定ＵＬサブフレームのために、ＨＡＲＱ−ＡＣＫを均一的な方法を提供するように生成することも可能である。
【０１０４】
図３(３００．２)に示すように、ＴＤＤ ＳＣｅｌｌ ２が２つのトランスポートブロックをサポートするＴＭで設定されているとすると、ＨＡＲＱ−ＡＣＫ(０)及びＨＡＲＱ−ＡＣＫ(１)が、ＦＤＤ ＰＣｅｌｌ上のＤＬサブフレーム＃９(３０２)のために生成され、ＨＡＲＱ−ＡＣＫ(２)が、ＴＤＤ ＳＣｅｌｌ−１上のＤＬサブフレーム＃９(３０９)のために生成され、ＨＡＲＱ−ＡＣＫ(３)及びＨＡＲＱ−ＡＣＫ(４)が、ＴＤＤ ＳＣｅｌｌ−２上のＤＬサブフレーム＃９(３１３)のために生成される。ＨＡＲＱビットの数、及びデータとＨＡＲＱ−ＡＣＫとの間のＣＱＩオフセットに基づいて、ＨＡＲＱ−ＡＣＫのフィードバックに用いるシンボルの数が決定され、予め定義したＲＥ上でのシンボルがＨＡＲＱ−ＡＣＫシンボルによって上書きされる。ｅＮＢ側では、ＨＡＲＱ−ＡＣＫシンボルの数がＵＥ側と同様の方法を用いて算出され、予め定義したＲＥ上でのＨＡＲＱ−ＡＣＫシンボルがＨＡＲＱ−ＡＣＫデコーディングに使用される一方、残りのデータがＵＬデータデコーディングに使用される。この結果、ｅＮＢ及びＵＥは、ＨＡＲＱ−ＡＣＫビットとＰＤＳＣＨ／ＰＤＣＣＨ／ＥＰＤＣＣＨ送信との間の関係の観点から何ら曖昧性を有さないはずである。
【０１０５】
ＵＥ及びｅＮＢにとって、各サービングセルから提供されるＨＡＲＱ−ＡＣＫビットの合計数の観点で共通の理解を有することは重要である。ビット数に曖昧性が生じたなら、ｅＮＢは、ＨＡＲＱ−ＡＣＫフィードバックがＵＬデータと多重される場合に、そのデコードに問題を抱え得る。
【０１０６】
また更に図３(３００．２)に示すように、ＨＡＲＱ−ＡＣＫ(０)及びＨＡＲＱ−ＡＣＫ(１)が、ＦＤＤサービングセル上のＤＬサブフレーム＃２(３０３)に関連付けられる。このような場合、ＵＥ及びｅＮＢはサブフレーム＃２がＵＬサブフレームとして用いられるとの同一の理解を有するはずであるため、ＨＡＲＱ−ＡＣＫ(０)及びＨＡＲＱ−ＡＣＫ(１)のみをフィードバックすることが可能である。但し、均一的な方法を提供するため、ＨＡＲＱ−ＡＣＫ(２)をＴＤＤサービングセル−１におけるサブフレーム＃２(３１０)のために生成し、ＨＡＲＱ−ＡＣＫ(３)及びＨＡＲＱ−ＡＣＫ(４)をＴＤＤサービングセル−２におけるサブフレーム＃２(３１４)のために生成することが可能である。ｅＮＢ側では、ｅＮＢはＨＡＲＱ−ＡＣＫビットが各サービングセルに亘る全てのサブフレームのために生成されると知見しているため、５つのＨＡＲＱ−ＡＣＫビットが期待される。よって、ｅＮＢ及びＵＥは、ＨＡＲＱ−ＡＣＫビットとＰＤＳＣＨ／ＰＤＣＣＨ／ＥＰＤＣＣＨ送信との間の関係の観点で何ら曖昧性を有さない。
【０１０７】
再び図３(３００．２)を参照すると、ＵＥ及びｅＮＢは、ＴＤＤ ＳＣｅｌｌ−１のサブフレーム＃３(３１１)上での伝送方向の観点から異なる理解を有し得る。ＨＡＲＱ−ＡＣＫがサブフレーム＃３のために生成されない場合、４つのＨＡＲＱ−ＡＣＫビットのみがＵＬサブフレーム＃７上でフィードバックされる。そのようなものとして、ＵＥは、自身が生成すべきものよりも少ないＨＡＲＱ−ＡＣＫビット、すなわち５つのＨＡＲＱ−ＡＣＫビット以外の４つのＨＡＲＱ−ＡＣＫビットを生成するであろう。この結果、ｅＮＢは、幾つかのデータをＨＡＲＱ−ＡＣＫシンボルとして扱い得て、ＰＤＳＣＨ ＨＡＲＱ−ＡＣＫのデコードに問題を生じさせるであろう。
【０１０８】
しかしながら、ＨＡＲＱ−ＡＣＫビットを、ＵＥによりＵＬサブフレームと見做されるサブフレーム＃３(３１１)等、ＵＬサブフレームと見做されるサブフレームに対してさえ生成する場合、このような問題は回避される。例えば、そのような場合において、ＨＡＲＱ−ＡＣＫ(０)及びＨＡＲＱ−ＡＣＫ(１)が、ＦＤＤサービングセル上のＤＬサブフレーム＃２(３０５)に関連付けられ、ＨＡＲＱ−ＡＣＫ(２)が、ＴＤＤ ＳＣｅｌｌ−１におけるサブフレーム＃２(３１１)に関連付けられ、ＨＡＲＱ−ＡＣＫ(３)及びＨＡＲＱ−ＡＣＫ(４)が、ＴＤＤ ＳＣｅｌｌ−２におけるサブフレーム＃２(３１５)に関連付けられる。そして、ｅＮＢは、ＰＤＳＣＨ ＨＡＲＱ−ＡＣＫシンボルをデコードすることが可能である。
【０１０９】
本明細書及び特許請求の範囲において、“ｃｏｍｐｒｉｓｉｎｇ(備えた)”との文言、並びに“ｃｏｍｐｒｉｓｅｓ(備える)”及び“ｃｏｍｐｒｉｓｅ”を含むその派生文言は、記述した各数値を含むものであるが、１以上の更なる数値の包含を排除するものでは無い。
【０１１０】
本明細書に亘る“ｏｎｅ ｅｍｂｏｄｉｍｅｎｔ(一の実施形態)”又は“ａｎ ｅｍｂｏｄｉｍｅｎｔ(実施形態)”への参照は、実施形態に関連した特定の特徴、構造又は特性が、本発明の少なくとも一つの実施形態に含まれることを意味する。よって、本明細書に亘る各種箇所における“ｉｎ ｏｎｅ ｅｍｂｏｄｉｍｅｎｔ(一の実施形態において)”又は“ｉｎ ａｎ ｅｍｂｏｄｉｍｅｎｔ(実施形態において”との表現の出現は、必ずしも同一の実施形態を参照するものでは無い。さらに、特定の特徴、構造又は特性は、１以上の組合せにおいて適切な方法で組み合わせても良い。
【０１１１】
法律に従って、発明を、多かれ少なかれ構造的又は方法的な特徴に特有の言語で説明した。当然のことながら、本明細書で説明した手段は発明を実施する好ましい態様であるため、発明は、示し又は説明した特定の特徴へは限定されない。このため、発明は、添付の特許請求の範囲の適切なスコープ内で(もしあれば)当業者により明らかに解釈される態様又は改良のいずれかにおいて請求される。
【０１１２】
上記の実施形態の一部又は全部は、以下の付記のようにも記載され得るが、以下には限られない。
【０１１３】
(付記１)
第１のデュプレックスモード、前記第１のデュプレックモードとは異なる第２のデュプレックスモード、並びに前記第１及び第２のデュプレックモードのキャリアアグリゲーションをサポートするアドバンスト無線通信ネットワークに用いるシグナリング方法であって、
ＵＥ(ｕｓｅｒ ｅｑｕｉｐｍｅｎｔ)を、ＰＣｅｌｌ(ｐｒｉｍａｒｙ ｃｏｍｐｏｎｅｎｔ ｃａｒｒｉｅｒ)としての第１のアクセスノードを介した前記アドバンスト無線通信ネットワークとのデータ通信のために、前記第１のデュプレックスモード且つ１以上のＴＢ(ｔｒａｎｓｐｏｒｔ ｂｌｏｃｋｓ)を含む第１のＴＭ(ｔｒａｎｓｍｉｓｓｉｏｎ ｍｏｄｅ)で設定し、
前記ＵＥを、ＳＣｅｌｌ(ｓｅｃｏｎｄａｒｙ ｃｏｍｐｏｎｅｎｔ ｃａｒｒｉｅｒ)としての第２のアクセスノードを介した前記アドバンスト無線通信ネットワークとのデータ通信のために、前記第２のデュプレックスモード且つ１以上のＴＢを含む第２のＴＭで設定する、ことを含み、
前記第２のアクセスノードに関連した前記第２のＴＭは、前記第１のアクセスノードに関連した前記第１のＴＭとは独立して、設定される、
シグナリング方法。
【０１１４】
(付記２)
前記第１のデュプレックスモードは、ＦＤＤ(ｆｒｅｑｕｅｎｃｙ ｄｉｖｉｓｉｏｎ ｄｕｐｌｅｘ)であり、前記第２のデュプレックスモードは、ＴＤＤ(ｔｉｍｅ ｄｉｖｉｓｉｏｎ ｄｕｐｌｅｘ)である、
ことを特徴とした付記１に記載のシグナリング方法。
【０１１５】
(付記３)
前記第１のアクセスノードは、第１のキャリア周波数で動作し、前記第２のアクセスノードは、第２のキャリア周波数で動作する、
ことを特徴とした付記１に記載のシグナリング方法。
【０１１６】
(付記４)
前記ＵＥは、前記第２のアクセスノードを介した前記アドバンスト無線通信ネットワークとのデータ通信のために、前記第１のＴＭよりも大きな数のＴＢを有する前記第２のＴＭで設定される、
ことを特徴とした付記１に記載のシグナリング方法。
【０１１７】
(付記５)
前記ＵＥは、１つのＴＢを用いる前記第１のアクセスノードを介した前記アドバンスト無線通信ネットワークとのデータ通信のために、且つ２つのＴＢを用いる前記第２のアクセスノードを介した前記アドバンスト無線通信ネットワークとのデータ通信のために設定される、
ことを特徴とした付記１に記載のシグナリング方法。
【０１１８】
(付記６)
複数の確認メッセージ識別子(ａｃｋｎｏｗｌｅｄｇｅｍｅｎｔ ｍｅｓｓａｇｅ ｉｄｅｎｔｉｆｉｅｒ)を含む確認メッセージ(ａｃｋｎｏｗｌｅｄｇｅｍｅｎｔ ｍｅｓｓａｇｅ)を生成する、ことをさらに含み、
前記第１のアクセスノードの前記第１のＴＭの１以上のＴＢ各々、及び前記第２のアクセスノードの前記第２のＴＭの１以上のＴＢ各々は、前記確認メッセージ識別子の一つに関連付けられる、
ことを特徴とした付記１に記載のシグナリング方法。
【０１１９】
(付記７)
前記確認メッセージ識別子は、前記確認メッセージのビットである、
ことを特徴とした付記６に記載のシグナリング方法。
【０１２０】
(付記８)
前記確認メッセージのビットは、ＰＣｅｌｌ ＴＢ用ビットの第１のサブセット(ｓｕｂｓｅｔ)、及びＳＣｅｌｌ ＴＢ用ビットの第２のサブセットを含む、
ことを特徴とした付記７に記載のシグナリング方法。
【０１２１】
(付記９)
前記確認メッセージ識別子は、ＨＡＲＱ(Ｈｙｂｒｉｄ Ａｕｔｏｍａｔｉｃ Ｒｅｐｅａｔ ｒｅＱｕｅｓｔ)−ＡＣＫ(ａｃｋｎｏｗｌｅｄｇｅｍｅｎｔ)メッセージのビットである、
ことを特徴とした付記１に記載のシグナリング方法。
【０１２２】
(付記１０)
前記ＨＡＲＱ−ＡＣＫメッセージのビット(ｊ＝０〜３)は、以下の表に従って割り当てられる、
2020039159.tif 000023
ことを特徴とした付記９に記載のシグナリング方法。
【０１２３】
(付記１１)
前記第１のアクセスノードは、マクロカバレッジエリア(ｍａｃｒｏ ｃｏｖｅｒａｇｅ ａｒｅａ)を有するマクロ基地局であり、前記第２のアクセスノードは、前記マクロカバレッジエリア内で小規模(ｓｍａｌｌ)カバレッジエリアを有する小規模基地局であり、前記ＵＥは、前記第１及び第２のアクセスノードを介したデータ通信のために設定される場合、前記小規模カバレッジエリアに位置する、
ことを特徴とした付記１に記載のシグナリング方法。
【０１２４】
(付記１２)
前記第１のアクセスノードは、マクロカバレッジ、システム情報(ｓｙｓｔｅｍ ｉｎｆｏｒｍａｔｉｏｎ)のブロードキャスト、モビリティ管理(ｍｏｂｉｌｉｔｙ ｍａｎａｇｅｍｅｎｔ)の処理、及び制御プレーン(ｃｏｎｔｒｏｌ ｐｌａｎｅ)の接続性を提供し、  前記第２のアクセスノートは、小規模セルカバレッジ、並びにユーザデータ送受信のためのユーザプレーン(ｕｓｅｒ ｐｌａｎｅ)の接続性を提供する、
ことを特徴とした付記１に記載のシグナリング方法。
【０１２５】
(付記１３)
前記第２のアクセスノードは、自ノードのカバレッジエリアにおける他のＵＥの有無に応じて、前記ＵＥに対しリソースをフレキシブルに割り当てる、
ことを特徴とした付記１に記載のシグナリング方法。
【０１２６】
(付記１４)
第１のデュプレックスモード、前記第１のデュプレックモードとは異なる第２のデュプレックスモード、並びに前記第１及び第２のデュプレックモードのキャリアアグリゲーションをサポートするアドバンスト無線通信ネットワークに用いるシグナリング方法であって、
ＵＥを、ＰＣｅｌｌとしての第１のアクセスノードを介した前記ネットワークとのデータ通信のために、前記第１のデュプレックスモード且つ１以上のＴＢを含む第１のＴＭで設定し、
前記ＵＥを、ＳＣｅｌｌとしての第２のアクセスノードを介した前記ネットワークとのデータ通信のために、前記第２のデュプレックスモード且つ１以上のＴＢを含む第２のＴＭで設定し、
前記１以上のＴＢに対する確認メッセージ識別子を、前記１以上のＴＢの任意のコンポーネント(ｃｏｍｐｏｎｅｎｔｓ)の伝送方向とは独立して、割り当てる、
ことを含むシグナリング方法。
【０１２７】
(付記１５)
前記送信方向は、ＵＬ(ｕｐｌｉｎｋ)伝送方向及びＤＬ(ｄｏｗｎｌｉｎｋ)伝送方向を含む、
ことを特徴とした付記１４に記載のシグナリング方法。
【０１２８】
(付記１６)
前記第１のデュプレックスモードは、ＦＤＤ(ｆｒｅｑｕｅｎｃｙ ｄｉｖｉｓｉｏｎ ｄｕｐｌｅｘ)であり、前記第２のデュプレックスモードは、ＴＤＤ(ｔｉｍｅ ｄｉｖｉｓｉｏｎ ｄｕｐｌｅｘ)である、
ことを特徴とした付記１４に記載のシグナリング方法。
【０１２９】
(付記１７)
前記第１のアクセスノードは、第１のキャリア周波数で動作し、前記第２のアクセスノードは、第２のキャリア周波数で動作する、
ことを特徴とした付記１４に記載のシグナリング方法。
【０１３０】
(付記１８)
前記確認メッセージ識別子は、確認メッセージのビットである、
ことを特徴とした付記１４に記載のシグナリング方法。
【０１３１】
(付記１９)
前記確認メッセージ識別子は、ＨＡＲＱ(Ｈｙｂｒｉｄ Ａｕｔｏｍａｔｉｃ Ｒｅｐｅａｔ ｒｅＱｕｅｓｔ)−ＡＣＫ(ａｃｋｎｏｗｌｅｄｇｅｍｅｎｔ)メッセージのビットである、
ことを特徴とした付記１４に記載のシグナリング方法。
【０１３２】
(付記２０)
前記ＨＡＲＱ−ＡＣＫメッセージは、データと多重化され、ＰＵＳＣＨ(ｐｈｙｓｉｃａｌ ｕｐｌｉｎｋ ｓｈａｒｅｄ ｃｈａｎｎｅｌ)上で送信される、
ことを特徴とした付記１９に記載のシグナリング方法。
【０１３３】
(付記２１)
前記確認メッセージ識別子は、ＰＵＣＣＨ(ｐｈｙｓｉｃａｌ ｕｐｌｉｎｋ ｃｏｎｔｒｏｌ ｃｈａｎｎｅｌ)フォーマット１ａ／１ｂ、チャネル選択を伴うＰＵＣＣＨフォーマット１ｂ、及びＰＵＣＣＨフォーマット３の一つに従ったフィードバック(ｆｅｄ ｂａｃｋ)である、
ことを特徴とした付記１４に記載のシグナリング方法。
【０１３４】
(付記２２)
前記ＵＥが２つ未満のサービングセルのキャリアアグリゲーションをサポート可能であるかを、判定し、
前記生成した確認メッセージ識別子を、ＰＵＣＣＨフォーマット１ａ／１ｂリソース上でフィードバックする、
ことをさらに含む付記１４に記載のシグナリング方法。
【０１３５】
(付記２３)
サブフレームのために、ダウンリンク伝送(ＰＤＣＣＨ(ｐｈｙｓｉｃａｌ ｄｏｗｎｌｉｎｋ ｃｏｎｔｒｏｌ ｃｈａｎｎｅｌ)／ＥＰＤＣＣＨ(ｅｎｈａｎｃｅｄｐｈｙｓｉｃａｌ ｄｏｗｎｌｉｎｋ ｃｏｎｔｒｏｌ ｃｈａｎｎｅｌ)／ＰＤＳＣＨ(ｐｈｙｓｉｃａｌ ｄｏｗｎｌｉｎｋ ｓｈａｒｅｄ ｃｈａｎｎｅｌ))が、前記ＤＬサブフレーム用の前記第２のアクセスノード上で発生しないと判定し、
３ＧＰＰ(３ｒｄ ｇｅｎｅｒａｔｉｏｎ ｐａｒｔｎｅｒｓｈｉｐ ｐｒｏｊｅｃｔ) ＬＴＥ(ｌｏｎｇ ｔｅｒｍ ｅｖｏｌｕｔｉｏｎ) ＰＵＣＣＨフォーマット１ａ／１ｂに従ったデータの前記サブフレームのために、前記確認メッセージ識別子をフィードバックする、
ことをさらに含む付記１４に記載のシグナリング方法。
【０１３６】
(付記２４)
前記セカンダリアクセスノード上のＰＤＣＣＨ／ＥＰＤＣＣＨのＤＣＩ(ｄｏｗｎｌｉｎｋ ｃｏｎｔｒｏｌ ｉｎｆｏｒｍａｔｉｏｎ)フォーマットで、ＴＰＣ(ｔｒａｎｓｍｉｔ ｐｏｗｅｒ ｃｏｎｔｒｏｌ)フィールドデータを受信し、
前記生成した確認メッセージ識別子を、ＴＰＣフィールドで示されるフォーマット３のＰＵＣＣＨリソース上でフィードバックする、
ことをさらに含む付記１４に記載のシグナリング方法。
【０１３７】
(付記２５)
予め定義した値が、ＵＬ(ｕｐｌｉｎｋ)サブフレームの確認メッセージ識別子と関連付けられる、
ことを特徴とした付記１４に記載のシグナリング方法。
【０１３８】
(付記２６)
予め定義した値は、ＮＡＣＫ(ｎｅｇａｔｉｖｅ ａｃｋｎｏｗｌｅｄｇｅｍｅｎｔ)である、
ことを特徴とした付記２５に記載のシグナリング方法。
【０１３９】
この出願は、２０１３年１２月１９日に出願されたオーストラリア国仮特許出願２０１３９０４９７５号を基礎とする優先権を主張し、その開示の全てをここに取り込む。
【符号の説明】
【０１４０】
１００, ２００  アドバンスト無線通信システム
１０１  ＦＤＤマクロアクセスノード
１０２  ＦＤＤスモールセルアクセスノード
１０３  ＴＤＤスモールセルアクセスノード
１０４, １０５, １０６, ２５０  ＵＥ
２１０  ＦＤＤアドバンスト基地局
２１１, ２３１, ２５１  プロセッサ
２１２, ２３２, ２５２  メモリ
２１３, ２５３  ＦＤＤ ＲＦモジュール
２１４, ２３４  アンテナアレイ
２１５, ２３５  ＴＸモジュール
２１６, ２３６  ＲＸモジュール
２２５  ＨＡＲＱ−ＡＣＫデマッピングモジュール
２３０  ＴＤＤアドバンスト基地局
２３２  ＴＤＤ ＲＦモジュール
２５４, ２５６  アンテナ
２５５  ＴＤＤ ＲＦモジュール
２５７  ＲＸモジュール
２５８  ＴＸモジュール
２６５  ＨＡＲＱ−ＡＣＫマッピング＆コンカチネーションモジュール
【図１】
2020039159.tif 000024
【図２Ａ】
2020039159.tif 000025
【図２Ｂ】
2020039159.tif 000026
【図３】
2020039159.tif 000027